(57)【要約】【課題】  ドレスアップ性を高めることができ、かつ容易に後付け装着することができる自動車用室内ピラーカバーを提供する。【解決手段】  自動車の室内ピラー部を表装する自動車用室内ピラーカバーであって、ピラーカバーが、Ａピラーの表面の略全体を覆い、かつＡピラーの表面形状に従うことができる柔軟なシート材料からなり、ピラーカバーの室内側表面が、軟質合成樹脂材料、又は合成皮革材料、又は天然皮革材料、又は織物材料で構成され、さらに所望によりエナメル加工及び／又はキルティング加工を施されていることを特徴とする。【選択図】  図４（ａ）
0003219757.tif 000002
【実用新案登録請求の範囲】
【請求項１】
自動車の室内ピラー部を表装する自動車用室内ピラーカバーであって、ピラーカバーが、Ａピラーの表面の略全体を覆い、かつＡピラーの表面形状に従うことができる柔軟なシート材料からなり、ピラーカバーの室内側表面が、軟質合成樹脂材料、又は合成皮革材料、又は天然皮革材料、又は織物材料で構成され、さらに所望によりエナメル加工及び／又はキルティング加工を施されていることを特徴とする自動車用室内ピラーカバー。
【請求項２】
請求項１に記載の自動車室内用ピラーカバーと、ピラーカバーの室内側表面と同じ材料及びデザインを使用した室内側表面により構成された、ハンドルカバー、ダッシュボードマット、及び／又はシートカバーとを含むことを特徴とする自動車用室内ドレスアップセット。
【考案の詳細な説明】
【技術分野】
【０００１】
本考案は、自動車の骨組構造を構成するピラー（柱）の室内部分をドレスアップ性高く表装するための自動車用室内ピラーカバー、及びそれを含む自動車用室内ドレスアップセットに関するものである。
【背景技術】
【０００２】
近年、トラック又は自家用車等の自動車は、高級感のある内装を求める市場の要望が極めて大きくなっている。従って、自動車のダッシュボードマット、シートカバー、ハンドルカバーなどのドレスアップ用の製品が多数市販されている。
【０００３】
しかしながら、自動車の室内ピラー部、特に乗員の視界に良く入るＡピラー部の室内側をドレスアップしようとした製品は、全く提案されていない。実際、従来のピラーカバー製品としては、スピーカーなどの機能的部品を取り付けるために適合させたものしか提案されていない。例えば、既存のピラー部にスピーカーを後付けするために、純正のピラー部を取りはずし、その上に、良好な音響特性を維持するように開孔音通部を設けた硬質樹脂成形品を取り付けることが提案されているにすぎない（特許文献１参照）。これらの従来製品は、機能的部品の性能を満たしながら形状を適合させることだけを考慮した硬質材料で作られているため、デザイン性や質感に劣り、車内を他の内装ドレスアップ製品とトータルコーディネートすることが難しい。
【先行技術文献】
【特許文献】
【０００４】
【特許文献１】実開平６−２２１０６号公報
【考案の概要】
【考案が解決しようとする課題】
【０００５】
本考案は、かかる従来技術の現状に鑑み創案されたものであり、その目的は、ドレスアップ性を高めることができ、かつ容易に後付け装着することができる自動車用室内ピラーカバー、及び他の室内装飾品とトータルコーディネートした表面デザインを持つ自動車用室内ドレスアップセットを提供することにある。
【課題を解決するための手段】
【０００６】
本考案者は、かかる目的を達成するために既存のピラー部をそのままにしてドレスアップ性を容易に高めることができる材料について鋭意検討した結果、従来の既存品の取り替えを意図した硬質樹脂成形品ではなく、既存のＡピラーの表面の略全体を覆い、かつＡピラーの表面形状に従うことができる柔軟なシート材料を用いたうえで、材料の室内側表面を、良好なデザインを作るのに適した材料とすることによって、高いドレスアップ性と容易な後付け装着性を達成できることを見出し、本考案の完成に至った。
【０００７】
即ち、本考案は、以下の（１），（２）の構成を有するものである。
（１）自動車の室内ピラー部を表装する自動車用室内ピラーカバーであって、ピラーカバーが、Ａピラーの表面の略全体を覆い、かつＡピラーの表面形状に従うことができる柔軟なシート材料からなり、ピラーカバーの室内側表面が、軟質合成樹脂材料、又は合成皮革材料、又は天然皮革材料、又は織物材料で構成され、さらに所望によりエナメル加工及び／又はキルティング加工を施されていることを特徴とする自動車用室内ピラーカバー。
（２）（１）に記載の自動車室内用ピラーカバーと、ピラーカバーの室内側表面と同じ材料及びデザインを使用した室内側表面により構成された、ハンドルカバー、ダッシュボードマット、及び／又はシートカバーとを含むことを特徴とする自動車用室内ドレスアップセット。
【考案の効果】
【０００８】
本考案の自動車用室内ピラーカバーは、既存のＡピラーの表面の略全体を覆い、かつＡピラーの表面形状に沿うことができる柔軟なシート材料からなり、その室内側表面を特定のデザインを施すのに適した材料としているので、ピラー部を表装するための取り付けが容易であるとともに、室内側の表面のデザインのドレスアップが容易である。また、本考案の自動車用室内ピラーカバーは、室内側の表面を同じ材料で構成したハンドルカバー、ダッシュボードマット、シートカバーなどとともに自動車用室内ドレスアップセットとすることにより、デザインがトータルコーディネートされた自動車室内を実現することができる。
【図面の簡単な説明】
【０００９】
【図１】図１（ａ）,（ｂ）は、本考案の自動車用室内ピラーカバーの一例の表側（室内側）、裏側をそれぞれ表わし、左側は、左ピラー部、右側は、右ピラー部を覆うカバーである。
【図２】図２（ａ）,（ｂ）は、本考案の自動車用室内ピラーカバーの別の例の表側（室内側）、裏側をそれぞれ表わし、左側は、左ピラー部、右側は、右ピラー部を覆うカバーである。
【図３】図３（ａ）,（ｂ）は、本考案の自動車用室内ピラーカバーのさらに別の例の表側（室内側）、裏側をそれぞれ表わし、左側は、左ピラー部、右側は、右ピラー部を覆うカバーである。
【図４（ａ）】図４（ａ）は、本考案の自動車用室内ピラーカバーの一例がトラックのＡピラーの左ピラー部を覆っている状態を示す。
【図４（ｂ）】図４（ｂ）は、本考案の自動車用室内ピラーカバーの一例がトラックのＡピラーの右ピラー部を覆っている状態を示す。
【図５（ａ）】図５（ａ）は、本考案の自動車用室内ピラーカバーをトラックのＡピラーに取り付ける方法の工程の一部を示す。
【図５（ｂ）】図５（ｂ）は、本考案の自動車用室内ピラーカバーをトラックのＡピラーに取り付ける方法の工程の一部を示す。
【図５（ｃ）】図５（ｃ）は、本考案の自動車用室内ピラーカバーをトラックのＡピラーに取り付ける方法の工程の一部を示す。
【図５（ｄ）】図５（ｄ）は、本考案の自動車用室内ピラーカバーをトラックのＡピラーに取り付ける方法の工程の一部を示す。
【図６】図６は、本考案の自動車用室内ピラーカバーと同じ室内側表面の材料及びデザインを採用したハンドルカバー、ダッシュボードマット、シートカバーによりトラックの室内のデザインをトータルコーディネートした例を示す。
【考案を実施するための形態】
【００１０】
本考案の自動車用室内ピラーカバーは、トラック、自家用車などの自動車の室内ピラー部を表装するためのピラーカバーであり、特に自動車の室内Ａピラー部をデザイン良く表装することによって自動車室内のドレスアップを図ろうとするものである。
【００１１】
本考案の自動車用室内ピラーカバーは、従来のような硬質成形材料からなるのではなく、自動車の既存のＡピラーの表面の略全体を覆い、かつＡピラーの凹凸やカーブの表面形状に従うことができる柔軟なシート材料からなることを特徴とする。また、本考案の自動車用室内ピラーカバーは、全体が上述のように柔軟なシート材料からなるのに加えて、室内側表面が、軟質合成樹脂材料、又は合成皮革材料、又は天然皮革材料、又は織物材料で構成され、さらに所望によりエナメル加工及び／又はキルティング加工を施されていることを特徴とする。なお、シート材料の室内側表面を除く部分には、柔軟性のあるプラスチック芯材料、中綿や不織布などのクッション性のある材料を配置してもよい。
【００１２】
上記の特徴を満足する本考案の自動車用室内ピラーの例を図１〜３で示す。図１は、軟質合成樹脂材料から材料で構成され、表面に斜め格子の模様を付けた自動車用室内ピラーカバーを示し、（ａ）は、ピラーカバーの表側（室内側）、（ｂ）は、ピラーカバーの裏側である。図２は、エナメル加工とキルティング加工を施された軟質合成樹脂材料から材料で構成され、表面に斜め格子の模様を付けた自動車用室内ピラーカバーを示し、（ａ）は、ピラーカバーの表側（室内側）、（ｂ）は、ピラーカバーの裏側である。図３は、織物材料で構成され、表面に金華山の模様を付けた自動車用室内ピラーカバーを示し、（ａ）は、ピラーカバーの表側（室内側）、（ｂ）は、ピラーカバーの裏側である。
【００１３】
図４（ａ），（ｂ）は、図２のエナメル加工とキルティング加工を施された軟質合成樹脂材料で構成され、表面に斜め格子の模様を付けた自動車用室内ピラーをトラックの左右の室内Ａピラーの上にそれぞれ取り付けた状態を示すものである。図４からわかるように、本考案の自動車用室内ピラーカバーは、既存のＡピラーの表面の略全体を覆い、Ａピラーの表面形状に従って装着されており、高いデザイン性を有している。
【００１４】
図５（ａ）〜（ｄ）は、本考案の自動車用室内ピラーカバーの取り付け方法の工程の一例を順に示したものである。まず、図５（ａ）に示すように、Ａピラー部のドアゴム（ウェザーストリップとも言い、雨を車内に侵入させないゴム状のモール）を取りはずし、一方、図５（ｂ）に示すように、Ａピラー部に両面テープを貼り付ける。次いで、図５（ｃ）に示すように、本考案の自動車用室内ピラーカバーを、Ａピラーの表面の略全体を覆い、Ａピラーの表面形状に沿うように既存のＡピラー部に押し付ける。最後に、図５（ｄ）に示すように、本考案の自動車用室内ピラーカバーを覆うように、取りはずしたドアゴムも元に付け直す。
【００１５】
上記の図５の説明からわかるように、本考案の自動車用室内ピラーカバーは、既存のＡピラー部分をそのまま残してその上に取り付けることにより、Ａピラー部分をデザイン性の良い新規なＡピラー部分に張り替えたように見える効果を有する。従って、既存のＡピラー部分を取りはずすような煩雑な工程がなく、ドアゴムの取りはずしと付け直し、さらに両面テープやマジック（登録商標）テープやベルクロ（登録商標）テープなどの使用だけで容易に外観良く装着可能である。
【００１６】
本考案の自動車用室内ピラーカバーは、ピラーカバーの室内側表面と同じ材料及びデザインで室内側表面を構成した、ハンドルカバー、ダッシュボードマット、及び／又はシートカバーとを含めて自動車にセット装着することにより、自動車室内全体をドレスアップすることができ、室内のデザインをトータルコーディネートすることができる。図６は、トラックの室内において自動車用室内ピラーカバーとハンドルカバーとダッシュボードマットとシートカバーとを同じ材料及びデザインで室内側表面を構成した例を示す。図６に示すように、トラックの室内全体を豪華にドレスアップすることに成功している。
【産業上の利用可能性】
【００１７】
本考案によれば、トラックや自家用車などの自動車のＡピラーを含む室内を容易にドレスアップすることができ、高級感を求めるユーザーにとって極めて有用である。
【図１】
0003219757.tif 000003
【図２】
0003219757.tif 000004
【図３】
0003219757.tif 000005
【図４（ａ）】
0003219757.tif 000006
【図４（ｂ）】
0003219757.tif 000007
【図５（ａ）】
0003219757.tif 000008
【図５（ｂ）】
0003219757.tif 000009
【図５（ｃ）】
0003219757.tif 000010
【図５（ｄ）】
0003219757.tif 000011
【図６】
0003219757.tif 000012
【手続補正書】
【提出日】平成30年11月22日(2018.11.22)
【手続補正１】
【補正対象書類名】実用新案登録請求の範囲
【補正対象項目名】全文
【補正方法】変更
【補正の内容】
【実用新案登録請求の範囲】
【請求項１】
自動車の室内ピラー部を表装する自動車用室内ピラーカバーであって、ピラーカバーが、Ａピラーの表面の略全体を覆い、かつＡピラーの表面形状に従うことができる柔軟なシート材料からなり、ピラーカバーの室内側表面が、軟質合成樹脂材料、又は合成皮革材料、又は天然皮革材料、又は織物材料で構成されていることを特徴とする自動車用室内ピラーカバー。
【請求項２】
ピラーカバーの室内側表面が、さらにエナメル加工及び／又はキルティング加工を施されていることを特徴とする請求項１に記載の自動車用室内ピラーカバー。
【請求項３】
請求項１又は２に記載の自動車室内用ピラーカバーと、ピラーカバーの室内側表面と同じ材料及びデザインを使用した室内側表面により構成された、ハンドルカバー、ダッシュボードマット、及び／又はシートカバーとを含むことを特徴とする自動車用室内ドレスアップセット。